(57)【要約】【課題】  フロント部の両側にヨロイを設け、該ヨロイ先端に取付けた継手を介して折畳み出来るように取付けたツルが、メガネを掛ける際に開いた状態から、バネ力の作用下においてさらに外方向へ僅かに押し開くことが出来るツル継手構造の提供。【解決手段】  上記ヨロイ５はフロント部１にロウ付けされる前ヨロイ部８とツル２にロウ付けされる後ヨロイ部９から成り、この前後ヨロイ部８，９は間に僅かな隙間１２を残して弾性変形に優れた繋ぎ弾性材１０にて連結されている。【選択図】    図１
0003131525.tif 000002
【実用新案登録請求の範囲】
【請求項１】
フロント部の両側にヨロイを設け、該ヨロイ先端に取付けた継手を介して折畳み出来るように取付けたツルが、メガネを掛ける際に開いた状態から、バネ力の作用下においてさらに外方向へ僅かに押し開くことが出来るツル継手構造において、上記ヨロイはフロント部にロウ付けされる前ヨロイ部とツルにロウ付けされる後ヨロイ部から成り、この前後ヨロイ部は間に僅かな隙間を残して弾性変形に優れた繋ぎ弾性材にて連結されていることを特徴とするツル継手構造。
【請求項２】
上記繋ぎ弾性材は弾性変形に優れた弾性部とその両端にロウ付けされる固定部を設けた請求項１記載のツル継手構造。
【請求項３】
上記弾性部は超弾性材から成り、固定部はヨロイ及びツルにロウ付け可能な合金で構成した請求項２記載のツル継手構造。
【請求項４】
上記弾性部は記憶合金から成り、固定部はヨロイ及びツルにロウ付け可能な合金で構成した請求項２記載のツル継手構造。
【考案の詳細な説明】
【技術分野】
【０００１】
本考案はメガネフレームのツルを折畳み可能に連結すると共に、開いた状態からバネ力が付勢されて外方向へ僅かに開くことが出来るようにしたメガネフレームのツル継手構造に関するものである。
【背景技術】
【０００２】
ツルが開いた状態から外方向へ僅かに押し開くことが出来るように機能する継手はバネ蝶番と称され、メガネフレームのツル連結手段として多用されている。特開２００１−２９０１０８号に係る「連結構造」はメガネフレームのテンプルとヨロイとを相対的に回動可能に連結するもので、テンプルの一端に二又に分岐させて形成した一対の片体を設けて水平方向に間隙を確保し、各片体に夫々孔を穿設すると共に、各片体に対向する溝をテンプルの長手方向に沿って延設しており、この対向する溝間に付勢部材を保持され、付勢部材の付勢力によってヨロイに対して付勢される移動部材を付勢部材に係着し、テンプルの間隙に移動可能に位置させている。
【０００３】
このように、開いた状態のツルを戻し方向へのバネ力を付勢して外方向へ押し開くことが出来るように構成し、その為にコイルバネを用いている。すなわち、コイルバネを圧縮変形させることでバネ力を発生しているが、その為に上記コイルバネを伸縮変形させる摺動部材が必要となっている。そこで、ゴミの介入やサビの発生でこの摺動部材の摺動に支障をきたす場合、ツルの開き操作がスムーズに機能しないことになる。
【０００４】
図３には最も基本的なバネ蝶番と称されるツル継手構造を示している。すなわち、該バネ蝶番の基本的な考えは、ヨロイ(イ)には固定蝶片(ロ)をロウ付け固定し、他方の蝶片を摺動蝶片(ハ)として一定距離の摺動を許すことによって外方向への開きをツル(ニ)に与えることが出来る。
【０００５】
ツル(ニ)にはガイド溝が形成され、摺動蝶片(ハ)はガイド溝を案内として摺動する訳であるが、上記摺動蝶片(ハ)の内部空洞にはコイルバネ(ホ)が収まっていて、ツル(ニ)を外ヘ開く際には摺動蝶片(ハ)が固定蝶片(ロ)側へ引張られて圧縮される。該コイルバネ(ホ)は摺動蝶片(ハ)の内部空洞入口に設けられてツル(ニ)の溝穴(ヘ)に係止したツメ(ト)に当たり、該ツメ(ト)はストッパーとして機能している。その結果、コイルバネ(ホ)の復元力がツル(ニ)に作用して、該ツル(ニ)を元の位置に戻そうとする。
【０００６】
ところで、上記摺動蝶片(ハ)にコイルバネ(ホ)を内蔵した蝶番構造は同図に示すごとく複雑であり、したがって製作工数も増大し、コスト的には高価なバネ付き蝶番と成ってしまう。しかも構造が複雑化している為に故障し易く、一旦故障すれば修理し難い等の問題もある。摺動蝶片(ハ)の内部空洞にコイルバネ(ホ)と芯金を押し込んでツメ(ト)に係止するならば、該ツメ(ト)並びにコイルバネ(ホ)を取り外すことが出来ない。
【０００７】
すなわち、ツメ(ト)は摺動蝶片(ハ)のガイドに拘束された状態でツメ(ト)の係止片(チ)が溝穴(ヘ)に嵌入し、芯金の頭(リ)はバネ力をもってツメ(ト)に当接し、係止片(チ)を溝穴(ヘ)へ押し込む力が働くことになる。従って、このツメ(ト)を摺動蝶片(ハ)から取外すことが出来なくなると同時に、修理は不能となる。
【０００８】
勿論、バネ蝶番と同じ機能を果たすことが出来る継手構造は他にも色々あって、メガネを掛けた際にツルは顔側面から頭部にかけてフィットする。しかし、従来の継手構造は一般的に複雑であると共に組み付けが面倒であり、その為に修理が容易でない。上記図３に示すバネ蝶番を取付ける場合には、ツル(ニ)には摺動蝶片(ハ)が摺動するガイドを設ける必要があり、そしてコイルバネ(ホ)及び芯金を挿入し、ツメ(ト)を嵌めなくてはならず、一般的な蝶番をロウ付けして取付けるように簡単ではない。
【０００９】
又、同図に示すバネ蝶番では、コイルバネ(ホ)やツメ(ト)を収容する摺動蝶片(ハ)がツル(ニ)の内側に大きく突出した形態となり、メガネの外観が損なわれると共に重くなってしまう。近年のスリムなメガネフレーム用のバネ蝶番としては外観的にも適さない。
【特許文献１】特開２００１−２９０１０８号に係る「連結構造」
【考案の開示】
【考案が解決しようとする課題】
【００１０】
このように、従来のツル継手構造には上記のごとき問題がある。本考案が解決しようとする課題はこれら問題点であり、メガネフレームの外観を損なうことなく、しかもシンプルな構造にて従来のバネ蝶番と同じ機能を具備できるように構成されるツル継手構造を提供する。
【課題を解決するための手段】
【００１１】
本考案に係るメガネフレームのツル継手構造は、フロント部両側にはヨロイが設けられ、該ヨロイにツルが連結される。ヨロイとツルの間には継手が介在しており、ツルは該継手を介して折畳まれる。ここで、本考案の継手構造を構成する上記ヨロイは３ピースから成り、前ヨロイ部と後ヨロイ部、そして前後ヨロイ部を繋ぐ繋ぎ弾性材にて構成している。
【００１２】
前ヨロイ部の後端と後ヨロイ部の前端との間には僅かな隙間を残した状態で上記繋ぎ弾性材にて繋がれている。繋ぎ弾性材は両固定部と弾性部を有し、固定部は前ヨロイ部と後ヨロイ部にロウ付けなどにて固定される。ここで、弾性部はバネ性に優れた超弾性材や記憶合金(ＮＴ材)が使用される。
【００１３】
ところで、ツルは継手を介して折畳まれ、又該ツルは外方向へ押し開くことが出来る。ツルが内側へ折畳まれる際には上記繋ぎ弾性材は変形しないが、該繋ぎ弾性材の弾性部は曲げ変形してツルを外方向へ押し開くことが出来る。ツルは後ヨロイ部の前端が前ヨロイ部の後端に当るまで押し開くことが出来、押し開くことで元に戻るようにバネ力が付勢される。すなわち、従来のバネ蝶番と同じ機能を発揮する。
【考案の効果】
【００１４】
本考案のツル継手構造は、ヨロイを前ヨロイ部と後ヨロイ部を繋ぎ弾性材にて繋いで構成した簡単な構造であり、ツルは繋ぎ弾性材の弾性部が変形することで押し開かれる。押し開かれたツルには繋ぎ弾性材のバネ力が付勢されて、顔の両側にバネ力に基づく適度な押圧力が作用する。従って、顔に掛けたメガネは位置ズレすることなく安定する。そして、該ツル継手構造の繋ぎ弾性材が破損することはなく、何時までも安定して機能することが出来る。すなわち、押し開かれるツルは後ヨロイ部の前端が後ヨロイ部の後端に当ることで停止する為に、過度な曲げ変形は防止される。
【実施例】
【００１５】
図１は本考案のツル継手構造を備えているメガネフレームを示している。同図の１はフロント部、２はツルを示し、フロント部１はレンズが嵌る両リム３，３と連結部材４で構成され、リム３，３の外側にはヨロイ５，５がロウ付けにて取着されている。そして、リム３，３の内側(フロント部中央)には鼻当てパット６，６が取付けられている。
【００１６】
ところで、上記ツル２はヨロイ先端に蝶番７を介して連結し、ツル２は折畳まれるが、開いた状態のツル２はヨロイ先端に当接していることで、これ以上外側に屈曲することは出来ない。しかし、本考案ではヨロイ５が３ピースで構成し、両ピースが繋ぎ弾性材にて繋がれている為に、ヨロイ５が外方向へ変形することが出来る。その為に、ツル２も点線で示す外方向へ押し開かれる。
【００１７】
ヨロイ５は前ヨロイ部８と後ヨロイ部９、及び繋ぎ弾性材１０にて構成され、概略Ｌ形をした前ヨロイ部８はフロント部１の外側にブローチ１１を被覆する位置にロウ付けされ、後ヨロイ部９はほぼストレートに延びている。前ヨロイ部８の後端と後ヨロイ部９の前端との間には僅かな隙間１２が介在し、前ヨロイ部８と後ヨロイ部９は繋ぎ弾性材１０によって繋がれている。
【００１８】
図２は上記繋ぎ弾性材１０を示す具体例であり、(ａ)は正面図、(ｂ)は側面図を表している。該繋ぎ弾性材１０は弾性部１３とその両端には固定部１４，１４を有し、該固定部１４，１４には平坦な接合面１５，１５を形成している。そこで、該接合面１５，１５は前ヨロイ部８と後ヨロイ部９に接合してロウ付けされ、該前ヨロイ部８と後ヨロイ部９が繋ぎ弾性材１０を介して連結される。
【００１９】
弾性部１３は超弾性材又は記憶合金(ＮＴ材)から成り、従ってバネ性に優れて曲げ変形することが出来る。メガネを掛ける際にツル２，２を開き、更に点線で示すように外方向へ押し開くならば、弾性部１３は前ヨロイ部８と後ヨロイ部９との間で曲げられる。そして、該曲げ変形に基づいてバネ力が発生し、ツル２，２を実線の位置まで戻す力が付勢される。この力は、メガネを掛けることで顔の両側に作用し、該メガネは安定する。
【図面の簡単な説明】
【００２０】
【図１】本考案のツル継手構造を備えたメガネフレーム。
【図２】ツル継手構造を構成する繋ぎ弾性材の具体例。
【図３】従来のバネ蝶番。
【符号の説明】
【００２１】
１  フロント部
２  ツル
３  リム
４  連結部材
５  ヨロイ
６  鼻当てパット
７  蝶番
８  前ヨロイ部
９  後ヨロイ部
10  繋ぎ弾性材
11  ブローチ
12  隙間
13  弾性部
14  固定部
15  接合面
【図１】
0003131525.tif 000003
【図２】
0003131525.tif 000004
【図３】
0003131525.tif 000005
【手続補正書】
【提出日】平成19年3月5日(2007.3.5)
【手続補正１】
【補正対象書類名】実用新案登録請求の範囲
【補正対象項目名】全文
【補正方法】変更
【補正の内容】
【実用新案登録請求の範囲】
【請求項１】
フロント部の両側にヨロイを設け、該ヨロイ先端に取付けた継手を介して折畳み出来るように取付けたツルが、メガネを掛ける際に開いた状態から、バネ力の作用下においてさらに外方向へ僅かに押し開くことが出来るツル継手構造において、上記ヨロイはフロント部にロウ付けされる前ヨロイ部とツルにロウ付けされる後ヨロイ部から成り、この前後ヨロイ部は間に僅かな隙間を残して弾性変形に優れた繋ぎ弾性材にて連結されていることを特徴とするメガネフレームのツル継手構造。
【請求項２】
上記繋ぎ弾性材は弾性変形に優れた弾性部とその両端にロウ付けされる固定部を設けた請求項１記載のメガネフレームのツル継手構造。
【請求項３】
上記弾性部は超弾性材から成り、固定部はヨロイ及びツルにロウ付け可能な合金で構成した請求項２記載のメガネフレームのツル継手構造。
【請求項４】
上記弾性部は記憶合金から成り、固定部はヨロイ及びツルにロウ付け可能な合金で構成した請求項２記載のメガネフレームのツル継手構造。